(57)【要約】【課題】１つの送風手段により、効率良く光源ランプを冷却することが可能なプロジェクタを提供する。【解決手段】このプロジェクタでは、下部フレーム４に、ブロワ８に風を導くための仕切壁４ｄと、ブロワ８から送風される風を、光源ランプ９と、カラーホイール１０およびライトトンネル１１との方向に分岐するためのダクト４ｅと、カラーホイール１０およびライトトンネル１１を通過した風を、光源ランプ９の方向に導くためのダクト４ｋとが一体的に形成されている。また、ダクト４ｅは、下部フレーム４の仕切壁４ｄに一体的に形成されている。また、ランプケース１２は、光源ランプ９から外部への光漏れを防止するために光源ランプ９を取り囲むように形成されている。また、ランプケース１２は、ダクト４ｅから送風される風を取り入れるための導風口１２ｃと、ダクト４ｋから送風される風を取り入れるための導風口１２ｆと、光源ランプ９の後方に導風される風を外部に排出するための導風口１２ｄとを含む。【選択図】図２
2006215209.tif 000002
【特許請求の範囲】
【請求項１】
樹脂製の筐体と、光源ランプと、前記光源ランプからの光が照射される位置に配置される光学部品と、前記光源ランプに向かって風を送り込むためのブロワと、前記光源ランプが内部に装着されたランプケースとを備えたプロジェクタにおいて、
前記筐体には、前記ブロワに風を導くための仕切壁と、前記ブロワから送風される風を、前記光源ランプと前記光学部品との方向に分岐するための第１ダクトと、前記光学部品の方向に導かれ、前記光学部品を通過した風を、前記光源ランプの方向に導くための第２ダクトとが一体的に形成されており、
前記第１ダクトは、前記筐体の仕切壁に一体的に形成されており、
前記第２ダクトにより前記光源ランプに導入される風は、前記ブロワから前記第１ダクトを介して前記光源ランプに送風される風を、前記光源ランプの後方に導くように送り込まれ、
前記ランプケースは、前記光源ランプから外部への光漏れを防止するために前記光源ランプを取り囲むように形成されるとともに、第１ダクトから送風される風を取り入れるための第１導風口と、前記第２ダクトから送風される風を取り入れるための第２導風口と、前記光源ランプの後方に導風される風を外部に排出するための第３導風口とを含む、プロジェクタ。
【請求項２】
光源ランプと、
前記光源ランプからの光が照射される位置に配置される光学部品と、
前記光源ランプに向かって風を送り込むための送風手段と、
前記送風手段から送風される風を、前記光源ランプと前記光学部品との方向に分岐するための第１導風部材と、
前記光学部品の方向に導かれ、前記光学部品を通過した風を、前記光源ランプの方向に導くための第２導風部材とを備えた、プロジェクタ。
【請求項３】
前記第２導風部材により前記光源ランプに導入される風は、前記送風手段から前記第１導風部材を介して前記光源ランプに送風される風を、前記光源ランプの後方に導くように送り込まれる、請求項２に記載のプロジェクタ。
【請求項４】
前記光源ランプが内部に装着され、前記光源ランプから外部への光漏れを防止するために前記光源ランプを取り囲むように形成されたランプケースをさらに備え、
前記ランプケースには、第１導風部材から送風される風を取り入れるための第１導風口と、前記第２導風部材から送風される風を取り入れるための第２導風口と、前記光源ランプの後方に導風される風を外部に排出するための第３導風口とが形成されている、請求項２または３に記載のプロジェクタ。
【請求項５】
筐体をさらに備え、
前記筐体には、前記送風手段に風を導くための仕切壁が一体的に設けられており、
前記第１導風部材は、前記筐体または前記仕切壁に一体的に形成されており、
前記第２導風部材は、前記筐体に一体的に形成されている、請求項２〜４のいずれか１項に記載のプロジェクタ。
【発明の詳細な説明】
【技術分野】
【０００１】
この発明は、プロジェクタに関し、特に、光源ランプを冷却するための構造を備えたプロジェクタに関する。
【背景技術】
【０００２】
従来、光源ランプを冷却するための構造を備えたプロジェクタが種々提案されている（たとえば、特許文献１および特許文献２参照）。
【０００３】
上記特許文献１には、外部から筐体の底面に形成された通気孔を通って冷却用吸引ファン（送風手段）によって送風された風が、光学ユニットを通過して、光源ランプの後方に配置される排気ファンに排出される投射型表示装置（プロジェクタ）が開示されている。この特許文献１に開示されたプロジェクタにおける風の流れる経路は、光学ユニットを通過して直接排気ファンに至る経路と、光学ユニットから、光源ランプが収納されるランプハウジングの前方に形成される通気孔を介して、光源ランプを通過するとともに光源ランプの後方に形成される排気口を通過して排気ファンに至る経路と、光学ユニットから電源ユニットの端に取り付けられる補助吸引ファンを介して、電源ユニットを通過して排気ファンに至る経路とがある。
【０００４】
また、上記特許文献２には、凹面鏡と発光部とからなる光源（光源ランプ）を備えたプロジェクタにおいて、吸気ファン（送風手段）から取り入れられた風が、光源が配置されるランプハウス（ランプケース）に形成される通気孔からランプハウスの内部に流入するとともに、その流入した風が、凹面鏡の凹部の中心方向に向かう還流となるので、凹部の中心に配置される発光部を冷却することが可能なプロジェクタが開示されている。
【０００５】
図７は、従来の一例によるプロジェクタの全体構成を示した斜視図である。図８および図９は、図７に示した従来のプロジェクタの詳細構造を説明するための斜視図である。図７〜図９を参照して、従来のプロジェクタの構造を説明する。
【０００６】
従来の一例によるプロジェクタは、図７に示すように、前部フレーム１０１、後部フレーム１０２、上部フレーム１０３および下部フレーム１０４を備えている。また、前部フレーム１０１の一方の端部側（矢印Ａ方向側）の部分には、映像を投影するための投影レンズ１０５が挿入されるレンズ挿入部１０１ａが形成されている。また、図７および図８に示すように、前部フレーム１０１の中央の部分から他方の端部側（矢印Ｂ方向側）の部分には、排気口１０１ｂが設けられている。
【０００７】
また、図８に示すように、下部フレーム１０４の一方（矢印Ａ方向）側の側面には、空気を取り入れるための吸気口１０４ａが設けられるとともに、他方（矢印Ｂ方向）側の側面には、空気を排出するための排出口１０４ｂが設けられている。この排出口１０４ｂの内部側には、プロジェクタの内部の空気を排出するための排気ファン１０６が配置されている。また、下部フレーム１０４の一方（矢印Ａ方向）側の側面には、メインスイッチ１０７が設けられている。
【０００８】
また、下部フレーム１０４には、ランプケース１０８が設置されている。また、図９に示すように、ランプケース１０８の側面１０８ａには、複数の開口部１０８ｂが設けられている。この一方（矢印Ａ方向）側の開口部１０８ｂには、防護ネット１０９が取り付けられている。この防護ネット１０９は、ランプケース１０８の内部に配置される光源ランプ１１０が、過度の温度上昇により破損した場合に、光源ランプ１１０の破片が外部に飛
び散るのを防止する機能を有している。また、図８に示すように、ランプケース１０８の内部に配置される光源ランプ１１０は、光源としてのバルブ１１０ａと、バルブ１１０ａが発する光を反射して集光するためのリフレクタ１１０ｂとを備えている。
【０００９】
また、下部フレーム１０４には、光源ランプ１１０へ空気を導風することにより、光源ランプ１１０の温度を制御するための温度制御用ファン１１１が設けられている。
【００１０】
また、下部フレーム１０４には、キャスティング１１２が設置されている。また、キャスティング１１２には、光源ランプ１１０のバルブ１１０ａから照射された光が集光される位置に、カラーホイール１１３が回転可能に配置されている。このカラーホイール１１３は、光源ランプ１１０から照射される光に色を付加する機能を有している。また、カラーホイール１１３の矢印Ａ方向側には、光を矩形状に成形するためのライトトンネル１１４が取り付けられている。このライトトンネル１１４は、光源ランプ１１０からの光が入射される入口部１１４ａおよび入射された光が出射される出口部１１４ｂを有する。
【００１１】
また、ライトトンネル１１４の出口部１１４ｂ側には、ライトトンネル１１４によって成形された光が透過する透過部材１１５がキャスティング１１２に取り付けられている。また、ライトトンネル１１４および透過部材１１５の側方には、冷却ファン１１６が温度制御用ファン１１１と隣接するように設置されている。
【００１２】
また、キャスティング１１２には、透過部材１１５を透過した光を反射するためのミラー１１７が設置されている。また、キャスティング１１２の外側には、ミラー１１７によって反射された光をさらに反射して投影レンズ１０５に光を供給するためのＤＭＤ素子（Ｄｉｇｉｔａｌ  Ｍｉｃｒｏｍｉｒｒｏｒ  Ｄｅｖｉｃｅ）１１８が設けられている。また、ＤＭＤ素子１１８とミラー１１７との間には、レンズ１１９が設けられている。このレンズ１１９は、ミラー１１７によって反射された光をＤＭＤ素子１１８の反射部に集光する機能を有する。また、ＤＭＤ素子１１８は、ＤＭＤ素子１１８を制御するためのプリント基板１２０に取り付けられている。このプリント基板１２０には、ＤＭＤ素子１１８の熱を放熱するためのヒートシンク部材１２１が取り付けられている。また、下部フレーム１０４には、プロジェクタを制御するためのメイン基板１２２が配置されている。
【００１３】
次に、図８を参照して、従来の一例によるプロジェクタの動作について説明する。まず、図８に示すように、光源ランプ１１０のバルブ１１０ａから発する光が光源ランプ１１０のリフレクタ１１０ｂによって集光されるとともに、カラーホイール１１３により色を付加されライトトンネル１１４の入口部１１４ａに入射される。その後、ライトトンネル１１４の入口部１１４ａに入射された光は、矩形状に成形されてライトトンネル１１４の出口部１１４ｂから出射される。ライトトンネル１１４の出口部１１４ｂから出射された光は、矢印Ｃ方向に進行するとともに、透過部材１１５を透過してミラー１１７に入射される。ミラー１１７に入射した光は、ミラー１１７によって矢印Ｄ方向に反射される。このミラー１１７によって反射された光は、レンズ１１９を介してＤＭＤ素子１１８に入射される。ＤＭＤ素子１１８に入射された光は、ＤＭＤ素子１１８によって矢印Ｅ方向に反射されて投影レンズ１０５に供給される。これにより、投影レンズ１０５からスクリーンなどに映像が投影される。
【００１４】
上記のようなプロジェクタの動作時には、排気ファン１０６、温度制御用ファン１１１および冷却ファン１１６が回転されることによって、下部フレーム１０４の吸気口１０４ａから空気が取り入れられる。まず、冷却ファン１１６が回転することにより、吸気口１０４ａから取り入れられた空気の一部が、図８の矢印Ｆ方向に沿って、カラーホイール１１３およびライトトンネル１１４に向かって導風される。そして、カラーホイール１１３およびライトトンネル１１４に向かう風が、カラーホイール１１３およびライトトンネル
１１４を通過した後に、前部フレーム１０１の排気口１０１ｂから排出される。これにより、カラーホイール１１３およびライトトンネル１１４が冷却される。
【００１５】
また、温度制御用ファン１１１が回転することにより、吸気口１０４ａから取り入れられた空気の一部が、図８の矢印Ｇ方向に沿って、ランプケース１０８の開口部１０８ｂ（図９参照）を介して、ランプケース１０８の内部に送風される。これにより、ランプケース１０８の内部に送風された風は、ランプケース１０８の内部に配置される光源ランプ１１０を通過した後に、ランプケース１０８の開口部１０８ｂを介して、前部フレーム１０１の排気口１０１ｂから排出される。その結果、光源ランプ１１０の温度が所定の温度に制御される。
【００１６】
また、排気ファン１０６が回転することにより、吸気口１０４ａから取り入れられた空気の一部が、図８の矢印Ｈ方向および矢印Ｉ方向に沿って、メイン基板１２２を通過して、下部フレーム１０４の排気口１０４ｂから排出される。これにより、メイン基板１２２が冷却される。
【特許文献１】特開２０００−３３０２０２号公報
【特許文献２】特開平８−２２０７５号公報
【発明の開示】
【発明が解決しようとする課題】
【００１７】
図７〜図９に示した従来のプロジェクタでは、光源ランプ１１０と、カラーホイール１１３およびライトトンネル１１４とを冷却するために、温度制御用ファン１１１と冷却ファン１１６とを設ける必要があるという不都合があった。その結果、光源ランプ１１０と、ライトトンネル１１４やカラーホイール１１３などの光学部品とを冷却するためのファン（送風手段）の数が増加するという問題点があった。
【００１８】
また、上記特許文献１に開示された投射型表示装置では、冷却用吸引ファンによって送風された風が、光学ユニットを通過して直接排気ファンに至る導風経路が存在するため、温度上昇していない風が外部に排出されるという不都合がある。そのため、冷却用吸引ファンにより取り込まれた風を利用して、効率良く光源ランプを冷却するのが困難であるという問題点がある。
【００１９】
また、上記特許文献２に開示されたプロジェクタでは、吸気ファンから取り入れられた風が、光源が配置されるランプハウスの通気孔を介して、ランプハウスに導入されている。そのため、記載はされていないが、光源からの光が照射される位置に配置される光学部品を冷却する場合には、吸気ファンとは別のファン（送風手段）が必要になるという不都合がある。その結果、光源と光学部品とを冷却するためのファン（送風手段）の数が増加するという問題点がある。
【００２０】
この発明は、上記のような課題を解決するためになされたものであり、この発明の１つの目的は、１つの送風手段により、効率良く光源ランプを冷却することが可能なプロジェクタを提供することである。
【課題を解決するための手段】
【００２１】
上記目的を達成するために、この発明の第１の局面によるプロジェクタは、樹脂製の筐体と、光源ランプと、光源ランプからの光が照射される位置に配置される光学部品と、光源ランプに向かって風を送り込むためのブロワと、光源ランプが内部に装着されたランプケースとを備えたプロジェクタにおいて、筐体には、ブロワに風を導くための仕切壁と、ブロワから送風される風を、光源ランプと光学部品との方向に分岐するための第１ダクト
と、光学部品の方向に導かれ、光学部品を通過した風を、光源ランプの方向に導くための第２ダクトとが一体的に形成されており、第１ダクトは、筐体の仕切壁に一体的に形成されており、第２ダクトにより光源ランプに導入される風は、ブロワから第１ダクトを介して光源ランプに送風される風を、光源ランプの後方に導くように送り込まれ、ランプケースは、光源ランプから外部への光漏れを防止するために光源ランプを取り囲むように形成されるとともに、第１ダクトから送風される風を取り入れるための第１導風口と、第２ダクトから送風される風を取り入れるための第２導風口と、光源ランプの後方に導風される風を外部に排出するための第３導風口とを含む。
【００２２】
この第１の局面によるプロジェクタでは、上記のように、ブロワから送風される風を、光源ランプと光学部品との方向に分岐するための第１ダクトを設けることによって、１つのブロワにより光源ランプと光学部品との方向に風を導くことができる。これにより、光源ランプおよび光学部品をそれぞれ冷却するために、個別にブロワを配置する必要がないので、光源ランプおよび光学部品をそれぞれ冷却する場合でも、ブロワの個数が増加するのを抑制することができる。また、光学部品の方向に導かれ、光学部品を通過した風を、光源ランプの方向に導くための第２ダクトを設けることによって、光学部品を冷却した風を、再び光源ランプの方向に導くことができる。これにより、光学部品を冷却した風を再利用して、効率良く、光源ランプを冷却することができる。また、第２ダクトにより光源ランプに導入される風を用いて、ブロワから第１ダクトを介して光源ランプに送風される風を、光源ランプの後方に導くことによって、光源ランプの後方部分を冷却することができる。また、ランプケースに、第１ダクトから送風される風を取り入れるための第１導風口と、第２ダクトから送風される風を取り入れるための第２導風口とを形成することによって、光源ランプがランプケースに取り囲まれるように配置されるために光源ランプの発熱によりランプケース内の温度が上昇する場合においても、第１ダクトから送風される風を第１導風口を介して取り入れるとともに、第２ダクトから送風される風を第２導風口を介して取り入れることによって、光源ランプを冷却することができる。また、この場合、光源ランプの後方に導かれる風を外部に排出するための第３導風口を設けることによって、その第３導風口により、光源ランプを冷却することにより温度上昇した熱風の排出経路を得ることができる。その結果、光源ランプが配置されたランプケースの内部に熱が閉じ込められるのを抑制することができる。また、筐体に、ブロワに風を導くための仕切壁を一体的に設けることによって、仕切壁を設けたとしても、部品点数が増加するのを抑制することができる。また、第１ダクトを、筐体と一体的に形成された仕切壁に一体的に形成するとともに、第２ダクトを、筐体に一体的に形成することによって、第１ダクトおよび第２ダクトを設けたとしても、部品点数が増加するのを抑制することができる。
【００２３】
この発明の第２の局面によるプロジェクタは、光源ランプと、光源ランプからの光が照射される位置に配置される光学部品と、光源ランプに向かって風を送り込むための送風手段と、送風手段から送風される風を、光源ランプと光学部品との方向に分岐するための第１導風部材と、光学部品の方向に導かれ、光学部品を通過した風を、光源ランプの方向に導くための第２導風部材とを備える。
【００２４】
この第２の局面によるプロジェクタでは、上記のように、送風手段から送風される風を、光源ランプと光学部品との方向に分岐するための第１導風部材を設けることによって、１つの送風手段により光源ランプと光学部品との方向に風を導くことができる。これにより、光源ランプおよび光学部品をそれぞれ冷却するために、個別に送風手段を配置する必要がないので、光源ランプおよび光学部品をそれぞれ冷却する場合でも、送風手段の個数が増加するのを抑制することができる。また、光学部品の方向に導かれ、光学部品を通過した風を、光源ランプの方向に導くための第２導風部材を設けることによって、光学部品を冷却した風を、再び光源ランプの方向に導くことができる。これにより、光学部品を冷却した風を再利用して、効率良く、光源ランプを冷却することができる。
【００２５】
上記第２の局面によるプロジェクタにおいて、好ましくは、第２導風部材により光源ランプに導入される風は、送風手段から第１導風部材を介して光源ランプに送風される風を、光源ランプの後方に導くように送り込まれる。このように構成すれば、光源ランプの後方部分を冷却することができる。
【００２６】
上記第２の局面によるプロジェクタにおいて、好ましくは、光源ランプが内部に装着され、光源ランプから外部への光漏れを防止するために光源ランプを取り囲むように形成されたランプケースをさらに備え、ランプケースには、第１導風部材から送風される風を取り入れるための第１導風口と、第２導風部材から送風される風を取り入れるための第２導風口と、光源ランプの後方に導風される風を外部に排出するための第３導風口とが形成されている。このように構成すれば、光源ランプがランプケースに取り囲まれるように配置されるために光源ランプの発熱によりランプケース内の温度が上昇する場合においても、第１導風部材から送風される風を第１導風口を介して取り入れるとともに、第２導風部材から送風される風を第２導風口を介して取り入れることによって、光源ランプを冷却することができる。また、この場合、光源ランプの後方に導びかれる風を外部に排出するための第３導風口を設けることによって、その第３導風口により、光源ランプを冷却して温度上昇した熱風の排出経路を得ることができる。その結果、光源ランプが配置されたランプケースの内部に熱が閉じ込められるのを抑制することができる。
【００２７】
上記第２の局面によるプロジェクタにおいて、好ましくは、筐体をさらに備え、筐体には、送風手段に風を導くための仕切壁が一体的に設けられており、第１導風部材は、筐体または仕切壁に一体的に形成されており、第２導風部材は、筐体に一体的に形成されている。このように構成すれば、仕切壁を設けたとしても、部品点数が増加するのを抑制することができる。また、第１導風部材を、筐体に一体的に形成された仕切壁に一体的に形成するとともに、第２導風部材を、筐体に一体的に形成することによって、第１導風部材および第２導風部材を設けたとしても、部品点数が増加するのを抑制することができる。
【発明を実施するための最良の形態】
【００２８】
以下、本発明を具体化した実施形態を図面に基づいて説明する。
【００２９】
図１は、本発明の一実施形態によるプロジェクタの全体構成を示した斜視図である。図２は、本発明の一実施形態によるプロジェクタの平面図である。図３〜図６は、図１に示した本発明の一実施形態によるプロジェクタの詳細構造を説明するための図である。図１〜図６を参照して、本発明の一実施形態によるプロジェクタの構造について説明する。
【００３０】
本発明の一実施形態によるプロジェクタは、図１に示すように、前部フレーム１、後部フレーム２、上部フレーム３および下部フレーム４を備えている。なお、下部フレーム４は、本発明の「筐体」の一例である。また、前部フレーム１の一方の端部側（矢印Ｊ方向側）の部分には、映像を投影するための投影レンズ５が挿入されるレンズ挿入部１ａが形成されている。また、図１および図２に示すように、前部フレーム１の中央の部分から他方の端部側（矢印Ｋ方向側）の部分には、排気口１ｂが設けられている。
【００３１】
また、図２に示すように、下部フレーム４の一方の（矢印Ｊ方向）側の側面には、空気を取り入れるための吸気口４ａが設けられるとともに、他方（矢印Ｋ方向）側の側面には、空気を排出するための排出口４ｂが設けられている。この排出口４ｂの内部側には、プロジェクタの内部の空気を外部に排出するための排気ファン６が配置されている。また、下部フレーム４の一方（矢印Ｊ方向）側の側面には、メインスイッチ７が設けられている。
【００３２】
ここで、本実施形態では、図２、図３および図６に示すように、下部フレーム４には、下部フレーム４の底面４ｃから上方に延びるように仕切壁４ｄが一体的に設けられている。また、仕切壁４ｄに沿うように、ブロワ８（図３参照）が配置されている。なお、ブロワ８は、本発明の「送風手段」の一例である。また、仕切壁４ｄは、下部フレーム４の吸気口４ａから導風される風を、ブロワ８に導くように設けられている。また、仕切壁４ｄには、ブロワ８から送風される風を分岐するためのダクト４ｅが一体的に形成されている。このダクト４ｅは、仕切壁４ｄに沿うように形成されている。なお、ダクト４ｅは、本発明の「第１ダクト」および「第１導風部材」の一例である。また、ダクト４ｅには、ブロワ８から送風される風を取り込むための導風口４ｆと、後述する光源ランプ９の方向に導風するための導風部４ｇと、カラーホイール１０およびライトトンネル１１の方向に導風するための導風部４ｈとが設けられている。なお、カラーホイール１０およびライトトンネル１１は、本発明の「光学部品」の一例である。また、ダクト４ｅの導風部４ｇおよび４ｈには、導風口４ｆから送風される風を排出するための排出口４ｉおよび４ｊが設けられている。また、下部フレーム４には、カラーホイール１０およびライトトンネル１１を通過した風を、光源ランプ９の方向に導くためのダクト４ｋが一体的に設けられている。なお、ダクト４ｋは、本発明の「第２ダクト」および「第２導風部材」の一例である。このダクト４ｋには、カラーホイール１０およびライトトンネル１１を通過した風を取り込むための導風口４ｌと、光源ランプ９の方向に導風するための排出口４ｍとが設けられている。
【００３３】
また、図５に示すように、ブロワ８には、空気を取り込むための空気取込部８ａと、空気取込部８ａから取り込まれた空気を送風するための送風口８ｂとが設けられている。また、空気取込部８ａには、複数の羽根８ｃが回転可能に取り付けられている。この複数の羽根８ｃが回転することによって、空気取込部８ａから空気が取り込まれて、送風口８ｂから風が送風される。
【００３４】
また、図２に示すように、光源ランプ９は、光源としてのガラス製のバルブ９ａと、バルブ９ａが発する光を反射して集光するための金属製のリフレクタ９ｂとを備えている。この光源ランプ９は、箱型形状のランプケース１２の内部に装着されている。このランプケース１２の前面１２ａは、ＬＣＰ樹脂（液晶ポリエステル樹脂）（耐熱温度：約３４０℃〜約３５０℃）により形成されるとともに、前面１２ａを除く部分は、ＰＰＳ樹脂（ポリフェニレンサルファイド樹脂）（耐熱温度：約２４０℃）により形成されている。
【００３５】
また、本実施形態では、図３および図４に示すように、ランプケース１２は、光源ランプ９から外部への光（紫外線）漏れを防止するために光源ランプ９を取り囲むように形成されている。なお、本実施形態では、ランプケース１２の内部に配置される光源ランプ９が、過度の温度上昇により破損した場合でも、ランプケース１２が光源ランプ９を取り囲むように形成されているので、光源ランプ９の破片が外部に飛び散るのを抑制することが可能となる。そのため、従来のランプケース１０８（図９参照）と異なり、ランプケース１０８の開口部１０８ｂに防護ネット１０９を設ける必要がないので、その分、部品点数を削減することが可能となる。また、ランプケース１２の一方側面１２ｂには、ダクト４ｅの導風部４ｇの排出口４ｉから送風される風を取り入れるための導風口１２ｃと、光源ランプ９の後方に導風される風を外部に排出するための導風口１２ｄとが設けられている。また、ランプケース１２の他方側面１２ｅには、ダクト４ｋの排出口４ｍから送風される風を取り入れるための導風口１２ｆが設けられている。なお、導風口１２ｃは、本発明の「第１導風口」の一例であり、導風口１２ｄは、本発明の「第３導風口」の一例であり、導風口１２ｆは、本発明の「第２導風口」の一例である。
【００３６】
また、図２に示すように、下部フレーム４には、マグネシウム（Ｍｇ）からなるキャスティング１３が設置されている。また、キャスティング１３には、光源ランプ９のバルブ
９ａから照射された光が集光される位置に、カラーホイール１０が回転可能に配置されている。このカラーホイール１０は、光源ランプ９から照射される光に色を付加する機能を有している。また、カラーホイール１０の矢印Ｊ方向側には、光を矩形状に成形するためのライトトンネル１１が取り付けられている。このライトトンネル１１は、光源ランプ９からの光が入射される入口部１１ａおよび入射された光が出射される出口部１１ｂを有するとともに、筒状の４面体形状に形成されている。
【００３７】
また、ライトトンネル１１の出口部１１ｂ側には、ライトトンネル１１によって成形された光が透過する透過部材１４がキャスティング１３に取り付けられている。また、キャスティング１３には、透過部材１４を透過した光を反射するためのミラー１５が設置されている。また、キャスティング１３の外側には、ミラー１５によって反射された光をさらに反射して投影レンズ５に光を供給するためのＤＭＤ素子１６が設けられている。このＤＭＤ素子１６は、表面に多数の反射部を有するとともに、それら多数の反射部を画像信号に応じて変位させ、反射光の有無によって画像を形成する。また、ＤＭＤ素子１６とミラー１５との間には、レンズ１７が設けられている。このレンズ１７は、ミラー１５によって反射された光をＤＭＤ素子１６の反射部に集光する機能を有する。また、ＤＭＤ素子１６は、ＤＭＤ素子１６を制御するためのプリント基板１８に取り付けられている。このプリント基板１８には、ＤＭＤ素子１６の熱を放熱するためのヒートシンク部材１９が取り付けられている。また、下部フレーム４には、プロジェクタを制御するためのメイン基板２０が配置されている。
【００３８】
次に、図２を参照して、本発明の一実施形態によるプロジェクタの動作について説明する。まず、図２に示すように、光源ランプ９のバルブ９ａから発する光が、光源ランプ９のリフレクタ９ｂによって集光されることによりライトトンネル１１の入口部１１ａに入射される。その後、ライトトンネル１１の入口部１１ａに入射された光は、矩形状に成形されてライトトンネル１１の出口部１１ｂから出射される。ライトトンネル１１の出口部１１ｂから出射された光は、矢印Ｌ方向に進行するとともに、透過部材１４を透過してミラー１５に入射される。ミラー１５に入射した光は、ミラー１５によって矢印Ｍ方向に反射される。このミラー１５によって反射された光は、レンズ１７を介してＤＭＤ素子１６に入射される。ＤＭＤ素子１６に入射された光は、ＤＭＤ素子１６によって矢印Ｎ方向に反射されて投影レンズ５に供給される。これにより、投影レンズ５からスクリーンなどに映像が投影される。
【００３９】
上記のようなプロジェクタの動作時には、排気ファン６およびブロワ８の複数の羽根８ｃが回転されることによって、下部フレーム４の吸気口４ａから空気が取り入れられる。まず、ブロワ８の羽根８ｃが回転することにより、吸気口４ａから取り入れられた空気の一部が、下部フレーム４の仕切壁４ｄに沿う方向（図２の矢印Ｏ方向）に進行して、ブロワ８の空気取込部８ａへ導風される。そして、ブロワ８の送風口８ｂから送風される風が、下部フレーム４のダクト４ｅの導風口４ｆに送風される。この場合、本実施形態では、ダクト４ｅの導風口４ｆに送風される風が、光源ランプ９に向かう方向（図２の矢印Ｐ方向）と、カラーホイール１０およびライトトンネル１１に向かう方向（図２の矢印Ｑ方向）とに分岐される。
【００４０】
また、光源ランプ９に向かう方向に導かれた風は、ダクト４ｅの導風部４ｇの排出口４ｉから排出されて、ランプケース１２の一方側面１２ｂに設けられる導風口１２ｃを介して、ランプケース１２の内部に導かれる。これにより、ランプケース１２の内部に導かれた風は、ランプケース１２の内部に装着された光源ランプ９のリフレクタ９ｂの内面を沿うように、バルブ９ａおよびリフレクタ９ｂを冷却しながら、約１００℃の熱風となって図２の矢印Ｒ方向に進行する。
【００４１】
また、カラーホイール１０およびライトトンネル１１に向かう方向に導かれた風は、ダクト４ｅの導風部４ｈの排出口４ｊから排出されて、カラーホイール１０およびライトトンネル１１を冷却しながら、図２の矢印Ｑ方向に進行する。そして、カラーホイール１０およびライトトンネル１１を通過した約６０℃の熱風が、ダクト４ｋの導風口４ｌから取り入れられる。これにより、ダクト４ｋの内部を通過した風が、ダクト４ｋの排出口４ｍから排出されて、ランプケース１２の他方側面１２ｅの導風口１２ｆを介して、ランプケース１２の内部に導かれる。
【００４２】
また、本実施形態では、ダクト４ｋによりランプケース１２に導入される風は、ブロワ８からダクト４ｅの導風部４ｇを介してランプケース１２に送風される風を、光源ランプ９の後方（図２の矢印Ｓ方向）に導くように送り込まれている。これにより、光源ランプ９の後方部分を冷却することが可能となる。
【００４３】
また、光源ランプ９の後方に導かれる風は、光源ランプ９を冷却した約１００℃の熱風と、ダクト４ｋにより導かれる約６０℃の熱風とが混ざり合うので、約８０℃〜約８５℃の熱風となり、図２の矢印Ｓ方向に進行する。そして、図２の矢印Ｓ方向に進行した熱風は、ランプケース１２の一方側面１２ｂに形成される導風口１２ｄを介して、ランプケース１２の外部に排出される。その結果、光源ランプ９の温度が所定の温度に制御される。そして、ランプケース１２の内部から排出された風は、下部フレーム４に配置された排気ファン６により、プロジェクタの外部に排出される。
【００４４】
また、排気ファン６により、吸気口４ａから取り入れられた空気の一部が、図２の矢印Ｔ方向および矢印Ｕ方向に沿って、メイン基板２０を通過して、下部フレーム４の排気口４ｂから排出される。これにより、メイン基板２０が冷却される。
【００４５】
本実施形態では、上記のように、ブロワ８から送風される風を、光源ランプ９と、カラーホイール１０およびライトトンネル１１との方向に分岐するためのダクト４ｅを設けることによって、１つのブロワ８により光源ランプ９と、カラーホイール１０およびライトトンネル１１との方向に風を導くことができる。これにより、光源ランプ９と、カラーホイール１０およびライトトンネル１１とをそれぞれ冷却するために、個別にブロワ８を配置する必要がないので、光源ランプ９と、カラーホイール１０およびライトトンネル１１とをそれぞれ冷却する場合でも、ブロワ８の個数が増加するのを抑制することができる。
【００４６】
また、本実施形態では、カラーホイール１０およびライトトンネル１１の方向に導かれ、カラーホイール１０およびライトトンネル１１を通過した風を、光源ランプ９の方向に導くためのダクト４ｋを設けることによって、カラーホイール１０およびライトトンネル１１を冷却した風を、再び光源ランプ９が装着されるランプケース１２の内部に導くことができる。これにより、カラーホイール１０およびライトトンネル１１を冷却した風を再利用して、効率良く、光源ランプ９を冷却することができる。
【００４７】
また、本実施形態では、ランプケース１２に、ダクト４ｅから送風される風を取り入れるための導風口１２ｃと、ダクト４ｋから送風される風を取り入れるための導風口１２ｆとを形成することによって、光源ランプ９がランプケース１２に取り囲まれるように配置されるために光源ランプ９の発熱によりランプケース１２内の温度が上昇する場合においても、ダクト４ｅから送風される風を導風口１２ｃを介して取り入れるとともに、ダクト４ｋから送風される風を導風口１２ｆを介して取り入れることによって、光源ランプ９を冷却することができる。また、この場合、光源ランプ９の後方に導かれる風を、外部に排出するための導風口１２ｄを設けることによって、その導風口１２ｄにより、光源ランプ９を冷却することにより温度上昇した熱風の排出経路を得ることができる。その結果、光源ランプ９が配置されたランプケース１２の内部に熱が閉じ込められるのを抑制すること
ができる。
【００４８】
また、本実施形態では、下部フレーム４に、ブロワ８に風を導くための仕切壁４ｆを一体的に設けることによって、仕切壁４ｆを設けたとしても、部品点数が増加するのを抑制することができる。
【００４９】
また、本実施形態では、ダクト４ｅを、下部フレーム４と一体的に形成された仕切壁４ｄに一体的に形成するとともに、ダクト４ｋを、下部フレーム４に一体的に形成することによって、ダクト４ｅおよび４ｋを設けたとしても、部品点数が増加するのを抑制することができる。
【００５０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５１】
たとえば、上記実施形態では、ダクト４ｅおよび４ｋを下部フレーム４（筐体）と一体的に設ける例を示したが、本発明はこれに限らず、ダクト４ｅおよび４ｋを下部フレーム４と別体で設けてもよい。また、分岐部を有するダクト４ｅを仕切壁４ｄと一体的に形成してもよい。
【００５２】
また、上記実施形態では、仕切壁を下部フレーム（筐体）と一体的に設ける例を示したが、本発明はこれに限らず、仕切壁を下部フレームと別体で設けてもよい。
【図面の簡単な説明】
【００５３】
【図１】本発明の一実施形態によるプロジェクタの全体構成を示した斜視図である。
【図２】図１に示した本発明の一実施形態によるプロジェクタの平面図である。
【図３】図１に示した本発明の一実施形態によるプロジェクタの光源ランプ、ブロワの斜視図である。
【図４】図１に示した本発明の一実施形態によるプロジェクタのランプケースの斜視図である。
【図５】図１に示した本発明の一実施形態によるプロジェクタのブロワの斜視図である。
【図６】図１に示した本発明の一実施形態によるプロジェクタのダクトの斜視図である。
【図７】従来の一例によるプロジェクタの全体構成を示した斜視図である。
【図８】図７に示した従来のプロジェクタの平面図である。
【図９】図７に示した従来のプロジェクタの光源ランプおよび温度制御ファンの斜視図である。
【符号の説明】
【００５４】
４  下部フレーム（筐体）
４ｄ  仕切壁
４ｅ  ダクト（第１ダクト、第１導風部材）
４ｋ  ダクト（第２ダクト、第２導風部材）
８  ブロワ（送風手段）
９  光源ランプ
１０  カラーホイール（光学部品）
１１  ライトトンネル（光学部品）
１２  ランプケース
１２ｃ  導風口（第１導風口）
１２ｄ  導風口（第３導風口）
１２ｆ  導風口（第２導風口）
【図１】
2006215209.tif 000003
【図２】
2006215209.tif 000004
【図３】
2006215209.tif 000005
【図４】
2006215209.tif 000006
【図５】
2006215209.tif 000007
【図６】
2006215209.tif 000008
【図７】
2006215209.tif 000009
【図８】
2006215209.tif 000010
【図９】
2006215209.tif 000011